(57)【要約】  【課題】低コストで、庫内灯周辺の意匠性、食品等の視認性を高めた冷蔵庫を提供する。  【解決手段】１つの基板１０にＬＥＤ発光素子１４を複数個実装し、庫内灯として庫内壁面に設置したものであり、庫内灯にＬＥＤ発光素子１４を基板１０に直接複数個実装したものを採用することにより低電力で発熱を防止でき気密構造体の中へ取付けも可能になり基板を庫内に設置できるようになり、薄型仕様を実現したことで取付けによる出っ張りもなくデザイン性を向上させることができる、またコンパクト性を生かし最適位置に庫内灯を設置することができるためＬＥＤ発光素子の高い指向性を利用することで庫内食品の視認性を高めることができる。【選択図】図１
2008039244.tif 000002
【特許請求の範囲】
【請求項１】
１つの基板にＬＥＤ発光素子を複数個実装し、庫内灯として庫内壁面に設置したことを特徴とする冷蔵庫。
【請求項２】
前記ＬＥＤ発光素子を実装した基板を冷蔵庫庫内の中央に向けて設置し、光を貯蔵食品に対して直接照射することを特徴とする請求項１に記載の冷蔵庫。
【請求項３】
前記ＬＥＤ発光素子を反射板構造体を介して点灯照射させ、光を間接照射させることを特徴とする請求項１に記載の冷蔵庫。
【発明の詳細な説明】
【技術分野】
【０００１】
本発明は、庫内灯を備えた冷蔵庫に関するものである。
【背景技術】
【０００２】
従来より、冷蔵庫の庫内灯を冷蔵室内の天面に着脱可能に備えたものがある（例えば、特許文献１参照）。
【０００３】
以下、図面を参照しながら、上記従来の冷蔵庫について説明する。
【０００４】
図４は、従来の冷蔵庫の概略断面図を示すものであり、冷蔵庫１０１の上部には冷蔵室１０２を、下部には冷凍室１０３を配置し、冷蔵室１０２内には背面に冷気風路１０４を備え、背面上部にはランプソケットを有した庫内灯１０５を備えている。また、冷蔵室１０２の手前側壁にはドアスイッチ１０６が設置してあり、冷蔵室扉１０７の開閉を検知し庫内灯１０５の点灯、消灯を制御している。また、冷蔵室１０２内には複数の食品棚１０８を備えている。
【０００５】
上記構成により、冷蔵室扉１０７を開放させるとドアスイッチ１０６が短絡し庫内灯１０５を点灯させる。冷蔵室扉１０７を閉じるとドアスイッチ１０６が開放し庫内灯１０５を消灯させる。
【特許文献１】実開平６−５６６８１号公報
【発明の開示】
【発明が解決しようとする課題】
【０００６】
しかしながら、上記従来の冷蔵庫では、庫内灯１０５の熱影響を配慮した設計が必要となり、コスト的に高くなるという課題を有している。また、ランプソケットを備えた庫内灯１０５の形状により庫内の形状が凸凹となりデザイン性に欠け見栄えが悪いという課題を有していた。
【０００７】
本発明は上記従来の課題を解決するものであり、低コストで、庫内灯周辺の意匠性、食品等の視認性を高めた冷蔵庫を提供することを目的とする。
【課題を解決するための手段】
【０００８】
上記従来の課題を解決するために、本発明の冷蔵庫は１つの基板にＬＥＤ発光素子を複数個実装し、庫内灯として庫内壁面に設置したものである。
【０００９】
これにより、長寿命・低発熱・薄型形状となるため気密構造体の中へ取付けも可能になり基板を庫内に設置できるようになり、取付けによる出っ張りもなくデザイン性を向上させることができる、またコンパクト性を生かし最適位置に庫内灯を設置することができるためＬＥＤ発光素子の高い指向性を利用することで庫内食品の視認性を高めることができる。
【発明の効果】
【００１０】
本発明の冷蔵庫は、コンパクト性を生かし最適位置に庫内灯を設置することができるためＬＥＤ発光素子の高い指向性を利用することで庫内食品の視認性を高めることができる。
【発明を実施するための最良の形態】
【００１１】
請求項１に記載の発明は、１つの基板にＬＥＤ発光素子を複数個実装し、庫内灯として庫内壁面に設置したものであり、庫内灯にＬＥＤ発光素子を基板に直接複数個実装したものを採用することにより低電力で発熱を防止でき気密構造体の中へ取付けも可能になり基板を庫内に設置できるようになり、薄型仕様を実現したことで取付けによる出っ張りもなくデザイン性を向上させることができる、またコンパクト性を生かし最適位置に庫内灯を設置することができるためＬＥＤ発光素子の高い指向性を利用することで庫内食品の視認性を高めることができる。
【００１２】
請求項２に記載の発明は、請求項１に記載の発明において、ＬＥＤ発光素子を実装した基板を冷蔵庫庫内の中央に向けて設置し、光を貯蔵食品に対して直接照射するものであり、さらに庫内食品の視認性を高めることができる。
【００１３】
請求項３に記載の発明は、請求項１に記載の発明において、ＬＥＤ発光素子を反射板構造体を介して点灯照射させ、光を間接照射させるものであり、さらに庫内食品の視認性を高めることができる。
【００１４】
以下、本発明の実施の形態について、図面を参照しながら説明する。なお、この実施の形態によってこの発明が限定されるものではない。
【００１５】
（実施の形態１）
図１は本発明の実施の形態１における冷蔵庫の庫内灯装置の詳細斜視図、図２（ａ）は庫内斜視レイアウト図、（ｂ）は庫内灯装置の光直接照射状態図である。
【００１６】
図１において、１０は基板、１４はＬＥＤ発光素子を示すものであり、基板１０の表面にはいくつもの導通回路１１がプリントされており基板１０上最適な場所にＬＥＤ発光素子１４を半田付け１５により導通枝回路１１ａに実装できるようにしてあり、冷蔵庫７のメイン回路に導通回路１１の終端に半田付け１３で固定された電線１２庫内によって通電する構成と成っている。
【００１７】
また、図２において、庫内灯装置は、冷蔵庫７の冷蔵室８の背面に配置し、ＬＥＤ発光素子１４ａを実装した基板１０ａの前方を透光性のカバーで覆った機密構造体１６ａで構成している。また、冷蔵庫７の冷蔵室８の側面にもＬＥＤ発光素子１４ｂを実装した基板１０ｂの前方を透光性のカバーで覆った機密構造体１６ｂからなる庫内灯装置を設けている。なお、機密構造体１６ａ、１６ｂはそれぞれ庫内壁面に形成した凹部に収納している。
【００１８】
以上のように構成された冷蔵庫について、以下その動作、作用を説明する。
【００１９】
庫内灯装置はＬＥＤ発光素子１４を基板１０に直接実装しており低電力で発熱を防止できるため気密構造体１６の中への取付けも可能になり基板１０を庫内に設置できるようになり、薄型仕様を実現したことで取付けによる出っ張りもなくデザイン性を向上させることができる、またコンパクト性を生かし庫内の何処にでも幾つでも最適位置に（この場合は各棚位置９のすぐ下方辺り）ＬＥＤ発光素子１４を設置することができるためＬＥＤ発光素子１４の光照射方向１７を直接庫内の中心部１８にすることによりＬＥＤ発光素子の高い指向性を利用して庫内食品１９が多く収納されても各棚９は光を遮ることなく全体に行き届かせ庫内食品１９の視認性を高めることができる。
【００２０】
また、図２に示すように、庫内灯装置として冷蔵室８の背面に配置したＬＥＤ発光素子１４ａを実装した基板１０ａの前方を透光性のカバーで覆った機密構造体１６ａおよび冷蔵室８の側面に配置したＬＥＤ発光素子１４ｂを実装した基板１０ｂの前方を透光性のカバーで覆った機密構造体１６ｂとを備えることで、光照射方向１７ａ、１７ｂにより直接庫内の中心部１８に２方向から照射でき、庫内食品１９の視認性をさらに高めることができる。
【００２１】
（実施の形態２）
図３は本発明の実施の形態２における冷蔵庫の庫内灯装置の光間接照射平面断面図である。図３において、１０は基板、１４はＬＥＤ発光素子を示すものであり、基板１０は反射板構造体２０の中に固定してあり蓋によって機密構造体１６が構成してある。
【００２２】
ＬＥＤ発光素子１４の光照射方向２１は庫内を向いておらず反射板構造体２０に反射させて庫内に光を照射させる構成と成っている。
【００２３】
以上のように構成された冷蔵庫について、以下その動作、作用を説明する。
【００２４】
庫内灯装置はＬＥＤ発光素子１４を基板１０に直接実装しており低電力で発熱を防止できるため気密構造体１６の中への取付けも可能になり基板１０を庫内に設置できるようになり、薄型仕様を実現したことで取付けによる出っ張りもなくデザイン性を向上させることができる、またコンパクト性を生かし庫内の何処にでも幾つでも最適位置に（この場合は冷蔵室庫内側面手前辺り）ＬＥＤ発光素子１４を設置することができるためＬＥＤ発光素子１４の眩しい光源光を直接視認することなく光照射方向２１を間接的に冷蔵室８内の中心部１８にすることによりＬＥＤ発光素子の高い指向性を利用して庫内食品１９を手前から光を照射することで各棚９の視認性を高めることができる。
【産業上の利用可能性】
【００２５】
以上のように、本発明にかかる冷蔵庫は、庫内灯にＬＥＤ発光素子を基板に直接実装したものを採用することにより低電力で発熱を防止でき、デザイン性を向上させることができ、庫内食品の視認性を高めることができるもので冷蔵機器全般の用途にも適用できる。
【図面の簡単な説明】
【００２６】
【図１】本発明の実施の形態１における冷蔵庫の庫内灯装置の詳細斜視図
【図２】（ａ）本発明の実施の形態１における冷蔵庫の庫内斜視レイアウト図（ｂ）本発明の実施の形態１における冷蔵庫の庫内灯装置の光直接照射状態図
【図３】本発明の実施の形態２における冷蔵庫の庫内灯装置の光間接照射平面断面図
【図４】従来の冷蔵庫の概略断面図
【符号の説明】
【００２７】
７    冷蔵庫
１０，１０ａ，１０ｂ  基板
１４，１４ａ，１４ｂ  ＬＥＤ発光素子
１７，１７ａ，１７ｂ  光照射方向（光直接照射方向）
１８  中心部（庫内中央部）
１９  庫内食品（貯蔵食品）
２０  反射板構造体
２１  光照射方向（光間接照射方向）
【図１】
2008039244.tif 000003
【図２】
2008039244.tif 000004
【図３】
2008039244.tif 000005
【図４】
2008039244.tif 000006